(57)【要約】【課題】ラッチ錠の操作性を維持しつつ開き扉等の錠止性を向上させた新規錠装置の提供を目的とする。【解決手段】錠本体とラッチ受け具とを備え、ラッチ受け具は、錠本体から出没するラッチ部材のヘッド部の嵌入部と掛止受け部とを有し、錠本体は、突出方向に付勢されたラッチ部材とラッチ部材の没入操作手段と、ラッチ部材のヘッド部に設けた掛止部をラッチ受け具の掛止受け部側に傾斜させて掛止受け部に掛止するロック手段とを有していることを特徴とする。【選択図】  図１
2008075355.tif 000002
【特許請求の範囲】
【請求項１】
錠本体とラッチ受け具とを備え、
ラッチ受け具は、錠本体から出没するラッチ部材のヘッド部の嵌入部と掛止受け部とを有し、
錠本体は、突出方向に付勢されたラッチ部材とラッチ部材の没入操作手段と、ラッチ部材のヘッド部に設けた掛止部をラッチ受け具の掛止受け部側に傾斜させて掛止受け部に掛止するロック手段とを有していることを特徴とする錠装置。
【請求項２】
ラッチ部材のヘッド部は、錠本体を取り付けた扉が閉じる際にラッチ受け具側に摺接して没入を案内するガイド斜面を有していることを特徴とする請求項１記載の錠装置。
【請求項３】
錠本体は、ラッチ部材の出没及びヘッド部の傾斜を、ガイドするガイド手段を有し、
ガイド手段は、ラッチ部材と錠本体ケース側の台座とのうち、一方にガイドピンと回動支点ピンとを設け、他方に略水平方向のガイド溝と略垂直方向の逃げ部とを設けてあり、ラッチ部材のヘッド部の水平方向の移動はガイドピンと回動支点ピンとがガイド溝に沿って相対移動することで許容し、ヘッド部が突出した状態では回動支点ピンを回動中心にしてガイドピンを逃げ部に相対移動させることでヘッド部の掛止部を傾斜させ掛止受け部に掛止しロック操作するものであることを特徴とする請求項１又は２記載の錠装置。
【請求項４】
ラッチ部材の没入手段は、ラッチ部材又は台座に設けた逃げ部に対向したラッチ部材側面から押圧後退駆動させるものであることを特徴とする請求項３記載の錠装置。
【発明の詳細な説明】
【技術分野】
【０００１】
本発明は、開き戸、開き扉等の開閉体の開閉を錠止する錠装置に関する。
【背景技術】
【０００２】
開き扉やドアにおいてその開閉を錠止めするラッチ錠は公知である。
しかし、従来のラッチ錠は扉等を閉じる際にはノブやハンドルを握手して扉を閉じるだけでラッチボルトのヘッドに有するガイド斜面に案内されて一旦ラッチボルトが没入し、付勢によりラッチ受け側に突出して錠止するので操作性には優れているものの、単にラッチボルトがラッチ受け側に突出しているだけなので、外力等により扉の開き側に撓みが生じると容易にラッチボルトの係止が外れてしまう技術的課題があった。
特開昭５１−５１９６号公報には掛止金具のフック部を受け側の係止棒に掛止する錠止装置を開示するが戸（扉）を閉じる動作の他に錠止する操作が必要であり、扉の開閉性に劣るものである。
【０００３】
【特許文献１】特開昭５１−５１９６号公報
【発明の開示】
【発明が解決しようとする課題】
【０００４】
本発明は上記技術的課題に鑑みて、ラッチ錠による扉等の開閉操作性を維持しつつ開き扉等の錠止性を向上させた新規錠装置の提供を目的とする。
【課題を解決するための手段】
【０００５】
本発明の技術的要旨は、錠装置であって、錠本体とラッチ受け具とを備え、ラッチ受け具は、錠本体から出没するラッチ部材のヘッド部の嵌入部と掛止受け部とを有し、錠本体は、突出方向に付勢されたラッチ部材とラッチ部材の没入操作手段と、ラッチ部材のヘッド部に設けた掛止部をラッチ受け具の掛止受け部側に傾斜させて掛止受け部に掛止するロック手段とを有していることを特徴とする。
ここで、錠本体は開き扉等の開き側の端部に取り付け、これと対向した位置の固定枠側にラッチ受け具を取り付けることになる。
【０００６】
請求項２記載の発明の技術的要旨は、ラッチ部材のヘッド部は、錠本体を取り付けた扉が閉じる際にラッチ受け具側に摺接して没入を案内するガイド斜面を有していることを特徴とする。
これにより扉等を閉じる際にはラッチ部材が突出方向の付勢力に対抗しながら後退し、ラッチ受け具の嵌入部に位置するとラッチ部材（ラッチボルト）が突出する。
【０００７】
請求項３記載の発明の技術的要旨は、錠本体は、ラッチ部材の出没及びヘッド部の傾斜を、ガイドするガイド手段を有し、ガイド手段は、ラッチ部材と錠本体ケース側の台座とのうち、一方にガイドピンと回動支点ピンとを設け、他方に略水平方向のガイド溝と略垂直方向の逃げ部とを設けてあり、ラッチ部材のヘッド部の水平方向の移動はガイドピンと回動支点ピンとがガイド溝に沿って相対移動することで許容し、ヘッド部が突出した状態では回動支点ピンを回動中心にしてガイドピンを逃げ部に相対移動させることでヘッド部の掛止部を傾斜させ掛止受け部に掛止しロック操作するものであることを特徴とする。
ここで没出するのはラッチ部材であるがラッチ部材にガイドピンと回動支点ピンを設けても、ラッチ部材にガイド溝を設けてもよいために相対移動と表現した。
また、本明細書にて水平方向とはラッチ部材が没出する方向をいい、垂直方向とはラッチ部材の没出方向に対して直角方向をいう。
【０００８】
請求項４記載の発明の技術的要旨は、ラッチ部材の没入手段は、ラッチ部材又は台座に設けた逃げ部に対向したラッチ部材側面から押圧後退駆動させるものであることを特徴とする。
ここで、逃げ部に対向した位置とは、例えば、ラッチ部材の下側側面に逃げ部を設けた場合にラッチ部材の上側側面をいい、逃げ部に対向したラッチ部材側面から押圧後退駆動させるとは、ラッチ部材の上側側面から押圧しつつラッチ部材を没入させることをいう。
これにより、施錠時にはガイドピンが逃げ部に位置することでラッチ部材のヘッド部が傾斜し、ヘッド部に設けた掛止部がラッチ受け具側の掛止受け部に掛止しているが、ランチ部材を後退させる際に逃げ部の反対側から押圧するとラッチ部材が水平方向に戻り、ヘッド部の掛止部が掛止受け部から外れるように作用する。
【発明の効果】
【０００９】
本発明に係る錠装置においては、ラッチ錠でありながら施錠時にはラッチ部材を傾斜させてヘッド部に設けた掛止部をラッチ受け具に設けた掛止受け部に掛止めするため、ラッチ部材のヘッド部をラッチ受け具から抜こうとする力が扉に加わっても、掛止部が掛止受け部に掛かって扉が開くのを防止できる。
ラッチ部材又は錠本体ケース側のどちらかにガイドピンと回動支点ピンを設け、他方にラッチ部材が没出するガイド溝の他に、没出方向とは概ね直角方向の逃げ部を設けると、ラッチ部材が突出した状態で、ガイドピンが逃げ部に位置してヘッド部が傾斜し、ラッチ受け具側と掛止し、その傾斜状態をロックすることで、そのままラッチ錠の解錠を規制できる。
また、ハンドル操作等によりラッチ部材を没入解除する際に、ラッチ部材又は台座に設けた逃げ部に対向したラッチ部材側面から押圧するようにすると簡単にラッチ部材を水平に戻すことができ、ラッチの解錠操作も容易である。
【発明を実施するための最良の形態】
【００１０】
本発明に係る扉の錠装置の例について図を用いて以下説明する
図１は錠装置の内部構造の説明図で図１（ａ）はラッチ部材（ラッチボルト）が突出しただけの状態を示し、図１（ｂ）はラッチ部材のヘッド部が傾斜した錠止状態を示す。
錠装置１０は、錠本体２０とラッチ受け具８０とからなり、錠本体２０は揺動する扉側に装着することでラッチ部材３０のヘッド部３１を扉の開放端から弾性付勢して突出させ、ラッチ受け具８０は扉を固定するための固定側枠体に装着してラッチ部材３０のヘッド部３１を受け入れる。
図２に錠本体２０の内部構造の斜視説明図を示す。
図１では扉と固定側枠体は図示省略してあり、図１、図２は錠装置の内部構造がわかるように錠本体２０の台座４０やラッチ受け具８０のケース８５等の一部を取り除いて要部を模式的に描いてある。
ラッチ受け具８０は、ラッチ部材３０のヘッド部３１が挿通するラッチ係止孔８２を有する受け座８１と、受け座８１が形成するラッチ係止孔８２に連通して開口する開口部を有するケース８５を設けてある。
図１に示した実施例では、ケース８５内に内カバー８６を介して縦断面略コ字型の掛止部ベース８３を設けてこれに掛止受け部８４を形成した例を示したが、受け座８１に直接掛止受け部を形成しても良い。
錠本体２０の内部にはラッチ部材３０と弾性付勢部材（コイルバネ）４３と、ハンドル操作体５０とラッチ駆動体６０と、ロック操作体７０とを配設してある。
ラッチ部材３０は、ベース部３４の先にヘッド部３１を有してヘッド部３１にはガイド斜面３３と鉤形の掛止部３２を設けてある。
図２に示すようにガイド斜面３３は、扉を閉じる時にラッチ受け具８０の受け座８１の縁部に摺接してその斜面により案内して、弾性付勢されて突出しているラッチ部材３０を弾性付勢力に抗して後退させるように設けてある。
掛止部３２はヘッド部３１がラッチ受け具８０のラッチ係止孔８２に挿通している時にラッチ部材３０が所定角度回動すると図１（ｂ）に示すように縁部を内側向きにせり出させて形成する掛止受け部８４に掛止めするように設けてある。
ここで、掛止部３２が掛止受け部８４に対してラッチ係止孔８２の奥側となって、ラッチ部材３０のヘッド部３１がラッチ係止孔８２から抜ける方向に移動した時に掛止部３２の鈎形が掛止受け部８４に掛かって、ヘッド部３０がラッチ係止孔８２から抜けることを防止する。
また、ベース部３４にはラッチ部材３０の突出方向に沿った両面にそれぞれ開口する概ね水平方向のガイド溝３５を設けてあり、錠本体ケース側の台座４０には、ガイド溝に突出した回動支点ピン４１及びガイドピン４２を有している。
この回動支点ピン４１とガイドピン４２はラッチ部材３０を没出方向にガイドするために所定間隔を隔てて概ね水平に配置してある。
【００１１】
ガイド溝３５は、概ね水平方向の直線部３５ａと概ね垂直方向の逃げ部３５ｂとを略Ｌ字形に形成してある。
直線部３５ａはラッチ部材３０の没出方向に形成してあり、回動支点ピン４１とガイドピン４２とを嵌めてラッチ部材３０を突出方向に直線的にガイドするが、逃げ部３５ｂはラッチ部材３０が突出位置にある時のガイドピン４２が位置する部分の直線部３５ａの側壁を直線部３５ａに嵌った回動支点ピン４１を中心とする所定の略円周方向に凹ませて形成してある。
これにより、回動支点ピン４１を回動の中心にして直線部３５ａから逃げ部３５ｂに逃がすようにガイドピン４２を移動させることで、突出位置にあるラッチ部材３０を所定角度回動可能としてある。
なお、図１に示した実施例は、ラッチ部材側にガイド溝及び逃げ部を形成したが、逆に台座側にガイド溝及び逃げ部を形成して、ラッチ部材にガイドピンと回動支点ピンを設けても良い。
ラッチ部材３０は、弾性付勢部材（コイルバネ）４３の一端を台座４０に設けた弾性付勢部材ホルダ４４に取り付け、他端をベース部３４に設けたバネ受け部３６に取り付けて扉の開放端から突出する方向に弾性付勢してある。
台座４０にはラッチ部材３０を後退操作するために、ハンドル操作体５０とラッチ駆動体６０とをそれぞれ軸着して配設してある。
ハンドル操作体５０には、図１（ｂ）に示すように、操作アーム５１とハンドル軸孔５２とを設けバネ５４で弾性付勢してあり、このハンドル軸孔５２に取り付けたハンドル（図示省略）をバネ５４の弾性付勢力に抗して操作すると操作アーム５１が揺動する。
ラッチ駆動体６０はアーム受け部６１と連動アーム６２とを、ハンドル操作体５０の操作アーム５１が揺動してこのアーム受け部６１を押し込んで、ラッチ駆動体６０を回動させて連動アーム６２を揺動させるように設けてある。
そして、図１（ａ）に示すようにラッチ部材３０が突出位置にある時には連動アーム６２は揺動することでラッチ部材３０のベース部３４から突出して設けてある駆動力受け部３７の回動案内斜面３７ａに摺接して押し込み、ラッチ部材３０を後退駆動させる。
この回動案内斜面３７ａは、ラッチ部材３０が傾斜して掛止部３２が掛止受け部８４に掛止めしている時で、後述するロック操作体７０がロックを解除している時に、連動アーム６２がこの回動案内斜面３７ａを押し込むと、その押込力を案内してラッチ部材３０を回動支点ピン４１を中心に回動させて平行にして後退させるように形成してある。
図２に示すようにロック操作体７０には軸部７４の両端にロック操作体７０を回動操作するための内鍵７１と錠部７２とを連結してある（内開き扉の場合）。
また、ロック操作体７０の軸部７４には、軸径方向にロックアーム部７３が設けてあり、図１に示すように軸部７４の外周の所定位置には軸方向の平面で切り欠いた平面部７４ａが設けてある。
そして、軸部７４の側面には板バネホルダ４６を台座４０に設けて配設した２枚の板バネ４５を板バネ４５を撓ませた状態で軸部７４を挟んだ両側から摺接してある。
ロック操作体７０は突出位置にあるラッチ部材３０の側端部３４ａを、錠部７２のキー挿入による回動操作や内鍵７１の回動操作でロックアーム部７３を駆動して押し込んで、ラッチ部材３０を前記回動支点ピン４１を回動中心として回動させるように配設してある。
そして、ラッチ部材３０をその掛止部３２がラッチ受け具８０の掛止受け部８４に掛止めする所定角度まで傾斜させた時に、平面部７４ａに板バネ４５を圧接させてロックアーム部７３を固定してラッチ部材３０の位置をロックする。
【００１２】
次に扉を開閉する時の錠装置１０の動作について図３を用いて説明する。
図３（ａ）は扉１を閉じ、固定側枠体２に取り付けたラッチ受け具８０のラッチ係止孔８２にラッチ部材３０のヘッド部３１を嵌めた状態を示し、図３（ｂ）はハンドル（図示省略）を操作してラッチ部材３０を後退駆動させた状態を示す。
また、図３（ｃ）は扉１を開いた状態を示す。
図３は、錠装置１０と錠本体２０を取り付けた扉１と、ラッチ受け具８０を取り付けた柱や相手側扉等の固定側枠体２の要部のみを描いてある。
図３（ａ）に示すようにラッチ部材３０のヘッド部３１をラッチ受け具８０のラッチ係止孔８２に嵌めて扉１を閉じると、ラッチ受け具８０のラッチ係止孔８２の縁部が扉１が開く方向のラッチ部材３０のヘッド部３１の移動を規制して扉１が閉じた状態を保持する。
図３（ａ）の状態からハンドル操作体５０のハンドル軸孔５２に取り付けた操作ハンドル（図示省略）を回動してハンドル操作体５０を回動させると、ハンドル操作体５０が回動してラッチ駆動体６０のアーム受け部６１を操作アーム５１で押し込んでラッチ駆動体６０を回動させる。
ラッチ駆動体６０は回動することで連動アーム６２を揺動させ、その端部でラッチ部材３０の駆動力受け部３７にラッチ部材３０を後退駆動させる押圧力を加えてラッチ部材３０を図３（ｂ）に示すように後退させて扉１を開ける。
扉１を開いてハンドル操作を終了すると、図３（ｃ）に示すように弾性付勢部材４３の弾性付勢力でラッチ部材３０は扉の開放端１ａから突出する。
図３（ｃ）の状態から扉１を閉じると、ラッチ部材３０のヘッド部３１は図２に示すガイド斜面３３部分でラッチ受け具８０の受け座８１に当たり、扉１が閉じるに従ってガイド斜面３３に案内されて弾性付勢部材４３の弾性付勢力に抗して後退する。
そして、扉１が閉じた位置では図３（ａ）に示すようにラッチ部材３０のヘッド部３１位置がラッチ係止孔８２位置と合って、ヘッド部３１はラッチ係止孔８２に挿通して嵌入部８３に嵌入する。
【００１３】
次に錠止をする時の錠装置１０の動作構造について図４を用いて説明する。
図４（ａ）は扉１を閉じた状態を示す。
錠装置１０の施錠は、図４（ａ）に示す状態から図２に示す錠部７２にキーを挿入して回動するか、内鍵７１を回動して行う。
錠部７２及び内鍵７１はロック操作体７０に連結してあるため、錠部７２のキーによる回動操作あるいは内鍵７１の回動操作でロック操作体７０は回動する。
図４（ｂ）に示すようにロック操作体７０は回動すると突出位置にあるラッチ部材３０の側端部３４ａをロックアーム部７３の端部でラッチ部材３０を回動傾斜させるように押し込む。
この時、ガイド溝３５には回動支点ピン４１を回動支点としてラッチ部材３０が回動する方向側にガイドピン４２をガイド溝３５の直線部３５ａから逃がすように直線部３５ｂの側壁を凹ませた逃げ部３５ｂを形成してあるため、ラッチ部材３０はロックアーム部７３に押し込まれることで回動支点ピン４１を中心にガイドピン４２を逃げ部３５ｂへ移動させて図４（ｃ）に示すように所定角度傾斜する。
ラッチ部材３０が所定角度回動して傾斜すると、ロック操作体７０の軸部７４の平面部７４ａに板バネ４５が圧接してロック操作体７０の回動を固定し、ラッチ部材３０の傾斜状態をロックする。
そして、突出位置でラッチ部材３０が所定角度傾斜するとラッチ部材３０のヘッド部３１の掛止部３２が、ラッチ係止孔８２内の掛止受け部８４を設けた側に移動する。
掛止受け部８４は、このようにヘッド部３１をラッチ係止孔８２に嵌入させたラッチ部材３０が所定角度傾斜している時に、ラッチ係止孔８２から引抜かれる方向にヘッド部３１が移動すると、掛止部３２が引っ掛かるようにラッチ係止孔８２の掛止部ベース８３が形成する開口縁部を内向きにせり出させて形成してある。
このため図５に示すように例えば扉１を開く方向に無理に押して撓ませる等してラッチ部材３０をラッチ係止孔８２から引き抜こうとしても、掛止部３２が掛止受け部８４に掛かるため、ラッチ部材３０がラッチ係止孔８２から抜けて扉の固定が解除されることを防止する。
図４（ｄ）は、図４（ｃ）に示す錠止状態からロック操作体７０を回動させてラッチ部材のロックを解除した状態を示す。
ロック操作体７０によるラッチ部材３０のロックは解除してあるが、ラッチ部材３０の掛止部３２が掛止受け部８４に掛止めした状態となっている。
この状態で、ハンドル操作してハンドル操作体５０とラッチ駆動体６０を介し、連動アーム６２でラッチ部材３０の駆動力受け部３７を押し込むと、駆動力受け部３７の連動アーム６２が押し込む回動案内斜面３７ａは、連動アーム６２が押し込む力を回動支点ピン４１を中心にラッチ部材３０を回動させて平行に戻しながら後退駆動を案内するように形成してあるため、図３（ｃ）に示すようにラッチ部材３０を後退させて扉１を開くことが出来る。
本発明に係る錠装置であっては、図５に示すように、扉１が開こうとしてもラッチ部材３０のヘッド部に設けた掛止部３２がラッチ受け具側の掛止受け部８４に引っかかるので、錠止性が高い。
また、図６に示すように、内カバー８６ａに雌ねじ部８６ｂを形成し、掛止受け部ベースに上下方向の長孔８３ａを設け、図６（ｂ）に示すように、掛止位置を調整してビス８３ｃ等で固定しても良い。
【図面の簡単な説明】
【００１４】
【図１】錠装置の内部構造の説明図を示し、（ａ）はラッチが突出しただけの状態を示し、（ｂ）は錠止ロックした状態を示す。
【図２】錠本体の内部構造の斜視説明図を示す。
【図３】扉を開閉する時の錠装置の動作説明図を示す。
【図４】錠止する時の錠装置の動作説明図を示す。
【図５】扉を開く強い力が加わった時の状態の説明図を示す。
【図６】ラッチ受け具に掛止位置調整機構を設けた例を示す。
【符号の説明】
【００１５】
１    扉
１ａ  扉の開放端
２    固定側枠体
１０    錠装置
２０    錠本体
３０    ラッチ部材
３１    ヘッド部
３２    掛止部
３３    ガイド斜面
３４    ベース部
３４ａ    側端部
３５    ガイド溝
３５ａ  直線部
３５ｂ  逃げ部
３６    バネ受け部
３７    駆動力受け部
３７ａ  回動案内斜面
４０    台座
４１    回動支点ピン
４２    ガイドピン
４３    ラッチ弾性付勢部材
４４    弾性付勢部材ホルダ
４５    板バネ
４６    板バネホルダ
５０    ハンドル操作体
５１    操作アーム
５２    ハンドル軸孔
５３    バネ受け
５４    バネ
６０    ラッチ駆動体
６１    アーム受け部
６２    連動アーム
７０    ロック操作体
７１    内鍵
７２    錠部
７３    ロックアーム部
７４    軸部
７４ａ  平面部
８０    ラッチ受け具
８１    受け座
８２    ラッチ係止孔
８３    掛止受け部ベース
８４    掛止受け部
８５    ラッチ受け具ケース
８６    内カバー
８７    嵌入部
【図１】
2008075355.tif 000003
【図２】
2008075355.tif 000004
【図３】
2008075355.tif 000005
【図４】
2008075355.tif 000006
【図５】
2008075355.tif 000007
【図６】
2008075355.tif 000008